(57)【要約】【課題】衝撃を緩和できると共に、施工性を確保しながら、全体形状をコンパクトに形成できる端部キャップを備える障子を提供すること。【解決手段】枠体４１内に配置される開閉式の障子４２であって、障子本体４２４と、障子本体４２４の回転軸を構成する軸部４３と、障子本体４２４の開閉側端部４６を覆うように開閉側端部４６に取り付けられる端部キャップ６０と、を備え、端部キャップ６０は、硬質材料で形成される硬質部６２，６３と、軟質材料で形成される軟質部６４と、を有する。【選択図】図２
2019027150.tif 000002
【特許請求の範囲】
【請求項１】
枠体内に配置される開閉式の障子であって、
障子本体と、
前記障子本体の回転軸を構成する軸部と、
前記障子本体の開閉側端部を覆うように前記開閉側端部に取り付けられる端部キャップと、を備え、
前記端部キャップは、硬質材料で形成される硬質部と、軟質材料で形成される軟質部と、を有する障子。
【請求項２】
前記端部キャップは、前記硬質部からなるキャップ本体部を備え、
前記キャップ本体部は、前記障子本体に挿入され、
前記軟質部は、前記キャップ本体部の外表面において、見付方向の外側に配置されると共に見込方向の全域に配置される請求項１に記載の障子。
【請求項３】
前記軟質部は、前記開閉側端部の見付方向の端部よりも外方に突出して形成されると共に、前記開閉側端部の見込方向の端部よりも外方に突出して形成される請求項１又は２に記載の障子。
【請求項４】
請求項１から３のいずれかに記載の障子と、
前記障子が内部に配置される枠体と、を備える室内窓。
【請求項５】
開閉式の障子の端部を覆うように前記障子の端部に取り付けられる端部キャップであって、
硬質材料で形成される硬質部と、軟質材料で形成される軟質部と、を有する開閉式の障子用の端部キャップ。
【発明の詳細な説明】
【技術分野】
【０００１】
本発明は、障子、障子を備える室内窓、及び、障子用の端部キャップに関する。
【背景技術】
【０００２】
従来、開閉式のドアの下部の角部に、弾性体で形成される端部キャップが取り付けられたものが知られている（例えば、特許文献１等参照）。特許文献１に記載の端部キャップは、弾性体で形成されるため、人がぶつかっても、衝撃を緩和できる。
【先行技術文献】
【特許文献】
【０００３】
【特許文献１】実開昭５７−２１１７５号公報
【発明の概要】
【発明が解決しようとする課題】
【０００４】
ここで、開閉式の障子の端部に設けられるキャップにおいても、ドアの角部に取り付けられる端部キャップと同様のことがいえる。
端部キャップが弾性体などの軟質の材料で形成されていると、端部キャップが軟らかいため、ドアの端部に端部キャップを取り付け難い。また、端部キャップを硬質の材料で形成する場合には、端部キャップの角部のアールを大きくすることで、硬くて鋭利な部分を少なくして、衝撃を緩和できる。しかし、端部キャップの角部のアールを大きくすると、肉厚が増加して、全体形状が大きくなりがちである。
【０００５】
そのため、衝撃を緩和できると共に、端部キャップを取り付ける施工性を確保しながら、全体形状をコンパクトに形成できる端部キャップが望まれる。
【０００６】
本発明は、衝撃を緩和できると共に、施工性を確保しながら、全体形状をコンパクトに形成できる端部キャップを備える障子を提供することを目的とする。
【課題を解決するための手段】
【０００７】
本発明は、枠体（例えば、後述の開閉枠体４１）内に配置される開閉式の障子（例えば、後述の開閉障子４２）であって、障子本体（例えば、後述の開閉縦框４２４）と、前記障子本体の回転軸を構成する軸部（例えば、後述の回転連結部４３）と、前記障子本体の開閉側端部（例えば、後述の開閉側端部４６）を覆うように前記開閉側端部に取り付けられる端部キャップ（例えば、後述の端部キャップ６０）と、を備え、前記端部キャップは、硬質材料で形成される硬質部（例えば、後述のキャップ本体部６２、外表面硬質部６３）と、軟質材料で形成される軟質部（例えば、後述の外表面軟質部６４）と、を有する障子に関する。
【０００８】
また、前記端部キャップは、前記硬質部からなるキャップ本体部を備え、前記キャップ本体部は、前記障子本体に挿入され、前記軟質部は、前記キャップ本体部の外表面において、見付方向の外側に配置されると共に見込方向の全域に配置されることが好ましい。
【０００９】
また、前記軟質部は、前記開閉側端部の見付方向の端部よりも外方に突出して形成されると共に、前記開閉側端部の見込方向の端部よりも外方に突出して形成されることが好ましい。
【００１０】
また、前記障子と、前記障子が内部に配置される枠体と、を備える室内窓（例えば、後述する開閉窓４０）に関する。
【００１１】
また、開閉式の障子の端部を覆うように前記障子の端部に取り付けられる端部キャップであって、硬質材料で形成される硬質部と、軟質材料で形成される軟質部と、を有する開閉式の障子用の端部キャップに関する。
【発明の効果】
【００１２】
本発明によれば、衝撃を緩和できると共に、施工性を確保しながら、全体形状をコンパクトに形成できる端部キャップを備える障子を提供することができる。
【図面の簡単な説明】
【００１３】
【図１】本発明に係る端部キャップを含んで構成される室内窓ユニットの姿図である。
【図２】開閉側端部に端部キャップが取り付けられた状態を示す斜視図である。
【図３】開閉側端部から端部キャップを取り外した状態を示す斜視図である。
【図４】端部キャップを裏側から見た斜視図である。
【図５】端部キャップの縦断面図である。
【発明を実施するための形態】
【００１４】
以下、本発明の一実施形態について、図面を参照しながら説明する。図１は、本発明に係る端部キャップ６０を含んで構成される室内窓ユニット２０の姿図である。図２は、開閉側端部４６に端部キャップ６０が取り付けられた状態を示す斜視図である。図３は、開閉側端部４６から端部キャップ６０を取り外した状態を示す斜視図である。図４は、端部キャップ６０を裏側から見た斜視図である。図５は、端部キャップ６０の縦断面図である。
【００１５】
本発明に係る端部キャップ６０を含んで構成される室内窓ユニット２０について説明する。図１に示すように、本実施形態における室内窓ユニット２０（建具）は、室内空間を仕切るように配置されるものであり、室内空間を仕切る仕切壁の開口に取り付けられたり、仕切りがない室内空間において床と天井との間に取り付けられる。
【００１６】
本実施形態においては、室内窓ユニット２０は、室内空間を仕切る仕切壁１１の開口１１ａに取り付けられている。室内窓ユニット２０は、窓ユニット２１が左右方向に３ユニット連続して並んで配設される。窓ユニット２１は、上段に開閉窓４０が配置され、下段にＦＩＸ窓５０が配置される。
【００１７】
室内窓ユニット２０において、枠体３０内に、開閉窓４０の障子を構成する開閉障子４２と、ＦＩＸ窓５０の障子を構成するＦＩＸ障子５２と、が納められる。枠体３０は、全体として矩形に枠組みされている。開閉窓４０及びＦＩＸ窓５０は、室内空間に配置される室内窓を構成する。
【００１８】
枠体３０は、図１に示すように、複数の縦枠３１と、複数の横枠３４と、を備える。
複数の縦枠３１は、室内窓ユニット２０における左右方向の両端に配置される端部縦枠３２（縦枠）と、両端の端部縦枠３２の間に配置される複数の連結縦枠３３（縦枠）と、を有する。縦枠３１は、仕切壁１１の開口１１ａにおいて縦通しで配置される。なお、本実施形態においては、端部縦枠３２及び連結縦枠３３について特に区別する必要がない場合には、単に「縦枠３１」と記載する。
複数の横枠３４は、上枠３５と、中枠３６と、下枠３７と、を有する。上枠３５、中枠３６及び下枠３７は、２つの縦枠３１の間において左右方向に延びて配置される。
縦枠３１及び横枠３４は、例えば、アルミ材料の形材で形成される。
【００１９】
以上のように構成される枠体３０においては、２つの縦枠３１の間において、上枠３５、中枠３６及び下枠３７により上下２段に区画され、中枠３６を介して、上段には開閉障子４２が納められ、下段にはＦＩＸ障子５２が納められることで、１つの窓ユニット２１が構成される。開閉障子４２とＦＩＸ障子５２との間に配置される中枠３６は、開閉窓４０及びＦＩＸ窓５０に共通の横枠である。
そして、本実施形態においては、室内窓ユニット２０は、窓ユニット２１が、左右方向に３ユニット連続して並んで配設されることで構成される。これにより、室内窓ユニット２０は、複数の窓が左右方向に連続して配置された連窓を構成する。隣接する窓ユニット２１は、隣接する窓ユニット２１の連結縦枠３３（縦枠３１）同士が、長手方向に直交する方向に連結される。
【００２０】
次に、開閉窓４０及びＦＩＸ窓５０の構成について説明する。
開閉窓４０は、図１に示すように、窓ユニット２１の上段に配置される。開閉窓４０は、開閉枠体４１（枠体）と、開閉枠体４１内に配置された開閉障子４２（障子）と、開閉障子４２の開口角度を任意な角度で保持可能なフリクションステー４４と、を備える。開閉窓４０は、開閉障子４２が開閉する開閉式である。
【００２１】
開閉枠体４１は、窓ユニット２１の枠体３０の一部により構成され、左右に離間して配置される縦枠３１（端部縦枠３２、連結縦枠３３）の上側の部分と、上枠３５と、中枠３６と、により矩形に構成される。
【００２２】
開閉式の開閉障子４２は、開閉枠体４１（枠体）内に配置される。開閉障子４２は、図１に示すように、開閉框体４２１と、開閉ガラス４２５と、開閉把持部４２７と、開閉枠体４１と開閉障子４２の上端部とを連結すると共に開閉障子４２の回転軸を構成する回転連結部４３（軸部）と、端部キャップ６０と、を備える。開閉框体４２１は、開閉ガラス４２５の上端を保持する開閉上框４２２と、開閉ガラス４２５の下端を保持する開閉下框４２３と、開閉ガラス４２５の左右の端部を保持する左右の開閉縦框４２４（障子本体）と、を備える。回転連結部４３は、開閉障子４２を開閉枠体４１に対して回転可能に、開閉枠体４１の縦枠３１と開閉障子４２の上端部とを接続する。開閉把持部４２７は、開閉障子４２を開放・閉鎖する際に使用者に把持される。
【００２３】
端部キャップ６０は、図２及び図３に示すように、開閉式の開閉障子４２用の端部キャップである。開閉障子４２において、開閉縦框４２４（障子本体）における下方側（回転連結部４３と反対側）の端部には、開閉側端部４６が形成される。端部キャップ６０は、開閉式の開閉障子４２の開閉側端部４６を覆うように開閉障子４２の開閉縦框４２４の開閉側端部４６に取り付けられる。
【００２４】
開閉縦框４２４は、図３に示すように、断面視略方形状の中空状に形成される。開閉縦框４２４は、例えば、開閉ガラス４２５の縦辺に沿って延びるアルミ材料の形材により形成される。開閉縦框４２４の開閉側端部４６の下端面４６２は、開閉縦框４２４の見込方向の両端部において開閉ガラス４２５の縦辺に沿って延びる一対の見付板４２４ｂの下端面であり、小口面となっている。端部キャップ６０は、開閉側端部４６の下端面４６２が外部に露出しないように、開閉側端部４６の下端面４６２を覆う。
【００２５】
開閉側端部４６には、切り欠き開口４６１が形成されている。切り欠き開口４６１は、開閉縦框４２４の開閉側端部４６の見付方向の外側に配置される見込外面板４２４ａにおいて、開閉縦框４２４の開閉側端部４６の下端部から上方側に方形状に切り欠かれている。切り欠き開口４６１には、端部キャップ６０が取り付けられる。
【００２６】
端部キャップ６０は、図２〜図５に示すように、硬質部からなるキャップ本体部６２と、外表面硬質部６３と、外表面軟質部６４と、を有する。
キャップ本体部６２及び外表面硬質部６３は、硬質材料で形成される硬質部を構成する。外表面軟質部６４は、軟質材料で形成される軟質部を構成する。
【００２７】
キャップ本体部６２は、外形が直方体形状に形成される。キャップ本体部６２は、開閉障子４２の見付方向の両端部における開閉側端部４６において、開閉縦框４２４の開閉側端部４６の切り欠き開口４６１に挿入されて配置される。
【００２８】
キャップ本体部６２には、図３に示すように、見付方向に貫通するネジ孔６２１が形成される。ネジ孔６２１には、ネジ部材６２１ａが挿入される。ネジ孔６２１に挿入されたネジ部材６２１ａは、開閉側端部４６に形成されるネジ孔４６３及び開閉下框４２３のネジ孔（図示せず）にネジ込まれることで、キャップ本体部６２、開閉側端部４６及び開閉下框４２３を共締めする。これにより、キャップ本体部６２は、切り欠き開口４６１に挿入された状態で、ネジ部材６２１ａにより、開閉縦框４２４の開閉側端部４６に固定される。
【００２９】
キャップ本体部６２の下面側の外表面には、外表面硬質部６３及び外表面軟質部６４が配置される。外表面硬質部６３及び外表面軟質部６４は、見込方向に延びる溝６５を介して、開閉障子４２の見付方向（開閉下框４２３の長手方向）に並んで配置されている。
【００３０】
外表面硬質部６３は、図２及び図３に示すように、キャップ本体部６２における開閉障子４２の下端側の端部から、見付方向の内側に延びる板状に形成される。外表面硬質部６３は、キャップ本体部６２の下面側の外表面において、開閉障子４２の見付方向の内側に配置されると共に、開閉障子４２の見込方向の全域に配置される。外表面硬質部６３は、開閉下框４２３の下面板４２３ａの長手方向の端部及び開閉縦框４２４の下端部の下端面４６２の一部を覆うように配置される。
【００３１】
外表面硬質部６３の下面６３１は、図５に示すように、平面状に形成される。外表面硬質部６３の上面には凹部６３２が形成され、端部キャップ６０が開閉側端部４６に取り付けられた状態において、凹部６３２には、開閉下框４２３の下面板４２３ａの長手方向の端部が配置される。
【００３２】
外表面軟質部６４は、図２及び図３に示すように、キャップ本体部６２の下面側の外表面において、開閉障子４２の見付方向の外側に配置されると共に、開閉障子４２の見込方向の全域に配置される。
【００３３】
外表面軟質部６４は、図２に示すように、端部キャップ６０が開閉側端部４６に取り付けられた状態において、開閉側端部４６の見込方向の両端部よりも見込方向の外方に突出して形成されると共に、開閉側端部４６の見付方向の端部よりも見付方向の外方に突出して形成される。
【００３４】
外表面軟質部６４の下面６４１は、平面状に形成される。外表面軟質部６４の下面６４１は、外表面硬質部６３の下面６３１と略同一平面状に配置される。
外表面軟質部６４の各辺６４ａの角部は、図４に示すように、丸みを帯びたアール形状に形成される。
【００３５】
軟質部からなる外表面軟質部６４は、硬質部からなるキャップ本体部６２及び外表面硬質部６３と一体的に形成される。本実施形態においては、例えば、端部キャップ６０は、硬質材料で硬質部を成形した後に、硬質部を軟質材料にインサートして、硬質部と軟質部とを一体化させて形成するインサート成形や、硬質材料と軟質材料とを組み合わせて一度に硬質部と軟質部とを一体化させる２色成形などにより形成されている。本実施形態においては、端部キャップ６０の硬質部及び軟質部の材料として、例えば、硬質部についてＡＳＡ樹脂などを用いることができ、軟質部についてポリエステル系エラストマーなどを用いることができる。
【００３６】
ＦＩＸ窓５０は、図１に示すように、窓ユニット２１の下段に配置される。ＦＩＸ窓５０は、ＦＩＸ枠体５１（枠体）と、ＦＩＸ枠体５１内に配置されたＦＩＸ障子５２（障子）と、を備えて構成される。ＦＩＸ枠体５１は、室内窓ユニット２０の枠体３０の一部により構成され、左右に離間して配置される縦枠３１（端部縦枠３２、連結縦枠３３）の下側の部分と、中枠３６と、下枠３７と、により矩形に構成される。
【００３７】
ＦＩＸ障子５２は、図１に示すように、ＦＩＸ框体５２１と、ＦＩＸガラス５２５と、を備える。ＦＩＸ框体５２１は、ＦＩＸガラス５２５の上端を保持するＦＩＸ上框５２２と、ＦＩＸガラス５２５の下端を保持するＦＩＸ下框５２３と、ＦＩＸガラス５２５の左右の端部を保持する左右のＦＩＸ縦框５２４と、を備える。
【００３８】
以上説明してきたように、本実施形態によれば、以下の効果が奏される。
本実施形態の開閉障子４２は、開閉枠体４１内に配置される開閉式の開閉障子４２であって、開閉縦框４２４と、開閉縦框４２４の回転軸を構成する回転連結部４３と、開閉縦框４２４の開閉側端部４６を覆うように開閉側端部４６に取り付けられる端部キャップ６０と、を備え、端部キャップ６０は、硬質材料で形成されるキャップ本体部６２及び外表面硬質部６３と、軟質材料で形成される外表面軟質部６４と、を有する。これにより、人が開閉側端部４６に衝突したとしても、端部キャップ６０の外表面軟質部６４が人に当たるため、衝撃を緩和できる。また、端部キャップ６０を、硬質材料で形成されるキャップ本体部６２の硬い部分において、開閉側端部４６に取り付け可能であるため、組立性を確保できる。また、軟質材料で形成される外表面軟質部６４が外部側に配置されているため、硬質材料を用いる場合よりも外表面が軟らかく、角部のアールを大きくする必要が低減される。これにより、端部キャップ６０をコンパクトに形成できる。
【００３９】
また、本実施形態においては、端部キャップ６０は、硬質部からなるキャップ本体部６２を備え、キャップ本体部６２は、開閉縦框４２４に挿入され、外表面軟質部６４は、キャップ本体部６２の外表面において、見付方向の外側に配置されると共に見込方向の全域に配置される。そのため、外表面軟質部６４は、見付方向の外側に配置されるため、人が衝突し易い位置に配置される。また、外表面軟質部６４は、見込方向の全域に配置されるため、開閉側端部４６をより広い範囲で覆うことができる。これにより、人が衝突し易い位置において、衝撃をより緩和できる。
【００４０】
また、本実施形態においては、外表面軟質部６４は、開閉側端部４６の見付方向の端部よりも外方に突出して形成されると共に、開閉側端部６の見込方向の端部よりも外方に突出して形成される。これにより、外表面軟質部６４の外周が開閉側端部４６よりも外方に突出して形成されるため、衝撃をより緩和できる。
【００４１】
以上、本発明の端部キャップ６０の好ましい一実施形態について説明したが、本発明は、上述の実施形態に制限されるものではなく、適宜変更が可能である。
【符号の説明】
【００４２】
４０…開閉窓（室内窓）
４１…開閉枠体（枠体）
４２…開閉障子（障子）
４３…回転連結部（軸部）
４６…開閉側端部
６０…端部キャップ
６２…キャップ本体部（硬質部）
６３…外表面硬質部（硬質部）
６４…外表面軟質部（軟質部）
４２４…開閉縦框（障子本体）
【図１】
2019027150.tif 000003
【図２】
2019027150.tif 000004
【図３】
2019027150.tif 000005
【図４】
2019027150.tif 000006
【図５】
2019027150.tif 000007